(57)【要約】【課題】電着塗装の膜濾過濾液多段回収水洗工程において、効率的に最終段の水洗液を増やす事により塗料の損失を減少できる電着塗料回収システムを既存の設備を利用して提供すること。【解決手段】電着浴液の膜濾過濾液を膜濾過濾液多段回収水洗工程の最終段水洗槽に供給する電着塗料回収システムにおいて、該膜濾過濾液多段回収水洗工程は少なくとも１槽のディップ型水洗槽を含んでおり、該少なくとも１槽のディップ型水洗槽液を膜濾過して得られた濾液を該最終段水洗槽に供給し、濃縮液を電着浴槽および／または水洗槽液が膜濾過されるディップ型水洗槽より前の段の水洗槽に供給することを特徴とする電着塗料の回収システム。【選択図】図２
2011099158.tif 000002
【特許請求の範囲】
【請求項１】
電着浴液の膜濾過濾液を膜濾過濾液多段回収水洗工程の最終段水洗槽に供給する電着塗料回収システムにおいて、該膜濾過濾液多段回収水洗工程は少なくとも１槽のディップ型水洗槽を含んでおり、該少なくとも１槽のディップ型水洗槽液を膜濾過して得られた濾液を該最終段水洗槽に供給し、濃縮液を電着浴槽および／または水洗槽液が膜濾過されるディップ型水洗槽よりも前の段の水洗槽に供給することを特徴とする電着塗料の回収システム。
【請求項２】
膜濾過されるディップ型水洗槽が最後段のディップ型水洗槽である請求項１に記載の電着塗料の回収システム。
【請求項３】
濾過膜が精密濾過膜または限外濾過膜である請求項１または２に記載の電着塗料の回収システム。
【請求項４】
濾過膜が限外濾過膜である請求項３に記載の電着塗料の回収システム。
【請求項５】
最後段のディップ型水洗槽が膜濾過濾液多段回収水洗工程の最終段の一つ手前または二つ以上手前であり、最後段のディップ型水洗槽液を膜濾過して得られた濾液量が電着浴槽および／または最後段のディップ型水洗槽より前の水洗槽に供給される濃縮液量の２〜９倍である請求項２〜４のいずれか一項に記載の電着塗料の回収システム。
【請求項６】
最後段のディップ型水洗槽が膜濾過濾液多段回収水洗工程の最終段の一つ手前または二つ以上手前であり、最後段のディップ型水洗槽液を膜濾過した際の濃縮液の塗料加熱残分が最後段のディップ型水洗槽の塗料加熱残分の１．１〜１０倍である請求項２〜５のいずれか一項に記載の電着塗料の回収システム。
【請求項７】
膜濾過濾液多段回収水洗工程の最後段のディップ型水洗槽液の膜濾過において、循環ポンプによる循環が行われている請求項５または６に記載の電着塗料の回収システム。
【請求項８】
膜濾過濾液多段回収水洗工程の最後段のディップ型水洗槽液の膜濾過が、循環液の塗料加熱残分が０．５〜６％で、且つ、下式で表される平均濾過差圧が０．０５〜０．４ＭＰａで行なわれる請求項５〜７のいずれか一項に記載の電着塗料回収システム。
平均濾過差圧＝（膜モジュール入圧＋膜モジュール出圧）／２−濾過側圧力
【発明の詳細な説明】
【技術分野】
【０００１】
本発明は、電着塗装に於いて、塗装仕上がりを良好に保ちながら、電着塗料の損失を低減せしめる電着塗料回収システムに関する。
【背景技術】
【０００２】
従来、電着塗装は自動車ボディをはじめ、自動車部品、電機製品および建材等の塗装に幅広く用いられている。電着塗装システムは被塗物に電気化学的に塗膜を形成させる電着工程及び未電着塗料等を洗い落とすための洗浄工程、更には塗膜を硬化させるための乾燥−焼き付け工程から構成されており、一般に洗浄工程は膜濾過濾液多段回収水洗工程と最終水洗工程とに大別される。
【０００３】
膜濾過濾液多段回収水洗工程は、電着槽内の塗料を膜で濾過することによって得られる濾液を用いて被塗物を洗浄し、被塗物に物理的に付着した塗料を洗い落とすと共に電着槽に回収する工程である。また、最終水洗工程は、純水や浄水（工水）を用いて仕上げ洗浄を行なう工程であり、前記膜濾過濾液多段回収水洗工程で洗い落とせなかった微量の塗料や侠雑イオンが洗い落とされるが、洗浄に用いられた後の水は廃水として工程外に排出されている。
【０００４】
しかしながら、従来の回収水洗方法は、被塗物を多量に電着塗装した場合、各回収水洗槽中の未電着塗料の濃度が上昇し、電着塗装施設外への塗料持ち出し量が増加するため、塗料回収率が低下すると共に、それを補う為に、最終水洗工程における浄水、純水の使用量が増加する、廃水処理負担が増大する等の問題を有していた。膜濾過濾液多段回収水洗工程の段数を増加すれば、この問題は解決できるが、設備費および設置スペースの増大という新たな問題が生じる。
【０００５】
上述の問題を解決するために、特許文献１では、膜濾過濾液多段回収水洗工程の最初の段の回収水洗水を限外濾過膜装置で濾過し、得られた濾液を膜濾過濾液多段回収水洗工程の最後の段に供給することを提案している。しかし、この方法では、当該最初の段の回収水洗水を限外濾過して得られる濾液の量が少なく、最終段における未電着塗料の濃度が十分に低下しないという問題がある。
【先行技術文献】
【特許文献】
【０００６】
【特許文献１】特開平７−２２４３９７号公報
【発明の概要】
【発明が解決しようとする課題】
【０００７】
本発明の目的は、上述の問題に鑑みて、電着塗装において、既存の設備を利用して電着塗料の損失を増加させない電着塗料回収システムを提供することである。また、膜濾過濾液多段回収水洗工程において効率的に最終段の水洗液を増やす事により塗料の損失を減少できる電着塗料回収システムを提供することである。
【課題を解決するための手段】
【０００８】
膜濾過濾液多段回収水洗工程における水洗槽にはスプレー型とディップ型の２種類がある。スプレー型とは水洗水の滞留量が少なく、被塗物の少なくとも一部しか水洗水中に浸漬しておらず、被塗物に水洗水をスプレーすることによって被塗物の水洗を行なうタイプである。一方、ディップ型とは水洗水の滞留量が多く、被塗物が完全に水洗水中に浸漬しており、被塗物を水洗水中に浸漬することによって被塗物の水洗を行なうタイプである。膜濾過装置を増設する場合、ディップ型水洗槽はスプレー型水洗槽よりも水洗水を多量に滞留させている事で、膜濾過装置に回収水洗水を安定的に供給できる為、膜濾過装置の設置に適している。また、ディップ型水洗槽はスプレー型水洗槽よりも被塗物の洗浄効率が良い。
【０００９】
即ち、本発明は以下の発明を提供する。
（１）電着浴液の膜濾過濾液を膜濾過濾液多段回収水洗工程の最終段水洗槽に供給する電着塗料回収システムにおいて、該膜濾過濾液多段回収水洗工程は少なくとも１槽のディップ型水洗槽を含んでおり、該少なくとも１槽のディップ型水洗槽液を膜濾過して得られた濾液を該最終段水洗槽に供給し、濃縮液を電着浴槽および／または水洗槽液が膜濾過されるディップ型水洗槽より前の段の水洗槽に供給することを特徴とする電着塗料回収システム。
（２）膜濾過されるディップ型水洗槽が最後段のディップ型水洗槽である上記１項に記載の電着塗料の回収システム。
（３）濾過膜が精密濾過膜または限外濾過膜である上記１または２項に記載の電着塗料の回収システム。
（４）濾過膜が限外濾過膜である上記３項に記載の電着塗料の回収システム。
（５）最後段のディップ型水洗槽が膜濾過濾液多段回収水洗工程の最終段の一つ手前または二つ以上手前であり、最後段のディップ型水洗槽液を膜濾過して得られた濾液量が電着浴槽および／または最後段のディップ型水洗槽より前の水洗槽に供給される濃縮液量の２〜９倍である上記２〜４項のいずれか一項に記載の電着塗料の回収システム。
（６）最後段のディップ型水洗槽が膜濾過濾液多段回収水洗工程の最終段の一つ手前または二つ以上手前であり、最後段のディップ型水洗槽液を膜濾過した際の濃縮液の塗料加熱残分が最後段のディップ型水洗槽の塗料加熱残分の１．１〜１０倍である上記２〜５項のいずれか一項に記載の電着塗料の回収システム。
（７）膜濾過濾液多段回収水洗工程の最後段のディップ型水洗槽液の膜濾過において、循環ポンプによる循環が行われている上記５または６項に記載の電着塗料の回収システム。
（８）膜濾過濾液多段回収水洗工程の最後段のディップ型水洗槽液の膜濾過が、循環液の塗料加熱残分が０．５〜６％で、且つ、下式で表される平均濾過差圧が０．０５〜０．４ＭＰａで行なわれる上記５〜７項のいずれか一項に記載の電着塗料回収システム。
平均濾過差圧＝（膜モジュール入圧＋膜モジュール出圧）／２−濾過側圧力
【発明の効果】
【００１０】
本発明によれば、従来の膜濾過濾液多段回収水洗工程をそのまま利用して、水洗槽に膜濾過装置を設けることにより、最終段水洗槽の未電着塗料の濃度を減少させ、電着塗料の損失を低減でき、排水負荷の増大も抑制する事ができる。
【図面の簡単な説明】
【００１１】
【図１】従来の電着塗料回収システムの一例を示した図である。
【図２】本発明の電着塗料回収システムの一例を示した図である。
【図３】従来の電着塗料回収システムで用いられる膜濾過装置の一例を示した図である。
【図４】本発明の電着塗料回収システムで用いられる膜濾過装置の一例を示した図である。
【発明を実施するための形態】
【００１２】
膜濾過濾液多段回収水洗工程に用いられる水洗槽にはスプレー型とディップ型の２種類があるが、本発明においては、膜濾過濾液多段回収水洗工程は少なくとも１つのディップ型水洗槽を有し、ディップ型水洗槽の少なくとも１つに膜濾過装置が設けられる。即ち、ディップ型水洗槽が１つの場合にはその１つのディップ型水洗槽に膜濾過装置が設けられ、２つ以上ある場合はどのディップ型水洗槽に設けられてもよいが、後述するように電着浴槽から一番離れた最後段のディップ型水洗槽に膜濾過装置を設けることが好ましい。
ディップ型水洗槽は、水洗水を多量に滞留させている為、第二膜濾過装置へ回収水洗水を供給することが容易で、既存の膜濾過濾液多段回収水洗工程の改造に適している。
【００１３】
以下、図面を参照して本発明を詳細に説明する。
図１は従来の電着塗料回収システムの一例であり、図中、１は電着浴槽、Ａは膜濾過濾液多段回収水洗工程、Ｂは最終水洗工程である。膜濾過濾液多段回収水洗工程Ａはスプレー型の第一水洗槽２、ディップ型の第二水洗槽３およびスプレー型の第三水洗槽４の３段で構成されており、最終水洗工程Ｂはディップ型の第一水洗槽５およびスプレー型の第二水洗槽６の２段で構成されている。被塗物はコンベア（図示されていない）に装着されて、電着浴槽に漬けて電着塗装された後、膜濾過濾液多段回収水洗工程の第一水洗槽、第二水洗槽、第三水洗槽、最終水洗工程の第一水洗槽および第二水洗槽へと順に搬送され、水洗される。７は第一膜濾過装置である。電着液がライン１０により電着浴槽から第一膜濾過装置に送られ、膜濾過される。膜を透過しない濃縮液はライン１１により電着浴槽に戻される。濾液はライン１２により膜濾過濾液多段回収水洗工程の最終段、この例では第三水洗槽に送られ、膜濾過濾液多段回収水洗工程の水洗水として用いられる。膜濾過濾液多段回収水洗工程の水洗水は第三水洗槽４から第二水洗槽３および第一水洗槽２へと順繰りにオーバーフローし、各水洗槽で水洗水として用いられた後、さらに第一水洗槽２から電着浴槽１にオーバーフローし、未電着塗料が回収される。最終水洗工程の第一水洗槽５には水洗水として純水または浄水（工水）がライン１３から供給され、第二水洗槽６には純水または浄水（工水）がライン１４から供給され、洗浄される。第二水洗槽６に供給された純水は第一水洗槽５にオーバーフローし、第一水洗槽に供給された浄水とともにライン１５から排出される。
【００１４】
図２は本発明の電着塗料回収システムの一例である。図２において、図１と同一の装置には同じ番号を附してある。図２に示したシステムは、図１に示した従来のシステムにおいて、ディップ型の第二水洗槽３に第二膜濾過装置８が新たに設けられていることが特徴であり、その他の点では図１に示した従来システムと同一である。第二膜濾過装置８には第二水洗槽液がライン１６から供給され、膜を透過しない濃縮液はライン１７により電着浴槽に戻される。濾液は第三水洗槽４（膜濾過濾液多段回収水洗工程の最終段）にライン１８によって供給され、ライン１２によって供給される第一膜濾過装置７の濾液と共に水洗水として用いられる。
上記の第二膜濾過装置を設けることによって、効率的に最終段の水洗液を増やす事ができ、最終段での未電着塗料の増加を防ぎ、塗料損失の増大を抑えることができる。
【００１５】
本発明において、新たに設けられる第二膜濾過装置以外は従来システムに用いられる装置を従来システムに用いられる運転条件で何ら制限なく用いることができる。例えば、最終水洗工程として２段の例を示したが、勿論１段でもよい。最終水洗工程には従来より各種の工夫がなされており、本発明においても従来公知の最終水洗工程を何ら制限なく用いることができる。
【００１６】
また、膜濾過濾液多段回収水洗工程として、第一段がスプレー型水洗槽、第二段がディップ型水洗槽および第三段がスプレー型水洗槽の３段構成の例を示したが、勿論第三段にもディップ型水洗槽を用いてもよい。その場合、第二膜濾過装置８は電着浴槽１からより離れた第三水洗槽４に設けられることが好ましい。また、第三段目のスプレー型水洗槽４がなく、２段構成であってもよい。この場合、最終段である第二段目のディップ型水洗槽３に第二膜濾過装置８は設けられる。勿論４段以上の構成にすることもできる。重要なことは、必ず少なくとも１つはディップ型水洗槽を含んでおり、ディップ型水洗槽の少なくとも１つに第二膜濾過装置を設けることである。それによって、最終段水洗槽の未電着塗料が減少し、電着塗料の損失を減少できる。
第二膜濾過装置８にも、従来の電着塗料の回収システムに用いられていた電着浴液の膜濾過装置を従来の運転条件で何ら制限なく用いることができるが、後述するように図４に示したような膜濾過装置を用いることが好ましい。
【００１７】
膜濾過濾液多段回収水洗工程の最終水洗槽の塗料損失の低減を行なうには、水洗水の増加、即ち第一膜濾過装置での濾液量を増加させる必要がある。しかし、電着液には塗料が多量に含まれており、塗料加熱残分（ＮＶ）は通常１０〜２５％程度である。このような高いＮＶでは第一膜濾過装置での濾液量の増加に限界がある。なお、本明細書において、塗料加熱残分（ＮＶ）はＪＩＳＫ５６０１−１−２に準じて測定した値である。
【００１８】
本発明では、第一膜濾過装置に加えて、第二膜濾過装置を膜濾過濾液多段回収水洗工程のディップ型水洗槽、上記例では第二水洗槽３に設けることに特徴がある。第二膜濾過装置には、ライン１６により第二水洗槽水が供給され、濾液がライン１８により第三水洗槽に水洗水として供給される。膜を透過しなかった濃縮液はライン１７により電着浴槽に送られる。濃縮液は膜濾過濾液多段回収水洗工程の第二膜濾過装置を設けたディップ型水洗槽より前の段、この例では第一水洗槽２に送ってもよい。
このような第二膜濾過装置を設けることにより、最終段水洗槽の未電着塗料を効率良く回収することができ、最終段水洗槽のＮＶを低下する事が出来る。
【００１９】
電着塗料の回収システムにおいては、一般的に、膜濾過は処理液のＮＶが低いと濾液量は増加する。電着浴槽および各水洗槽のＮＶは電着浴槽が一番高く、膜濾過濾液多段回収水洗工程の第一水洗槽、第二水洗槽、第三水洗槽という順に段階的に低下して行く。従って、膜濾過濾液多段回収水洗工程の最終段水洗槽のＮＶが一番低く、最終段水洗槽液を濾過することが効率的である。
【００２０】
しかし、上述したように、スプレー型水洗槽は、水洗水の滞留量が少なく、膜濾過装置への回収水洗水の安定的な供給に適さない。従って、周囲に膜濾過装置を設置するスペースがあり、安定的なの回収水洗水供給に適しているディップ型水洗槽の最後段の水洗槽水を濾過することが好ましい。上述の例の場合、最後段のディップ型水洗槽である第二水洗槽３は最終段の１つ手前であるが、最終段の１つ手前の水洗槽のＮＶは、１〜５％であるため、最終段の１つ手前の水洗槽液を濾過することにより、電着浴液を濾過する第一膜濾過装置に比べ、２〜９倍の濾液量を採取する事が出来る。
なお、この例の場合、膜濾過装置を設ける水洗槽が膜濾過濾液多段回収水洗工程の最終段の１つ手前であるため、最終段水洗槽に設けた場合に比較して水洗槽のＮＶが高いので、濾過液の採取量が少なくなる一方、膜濾過装置の運転は安定する。
【００２１】
第二水洗槽３（膜濾過濾液多段回収水洗工程の最後段のディップ型水洗槽）に供給される液の量は第三水洗槽４からのオーバーフローであるが、このオーバーフロー量は第三水洗槽４に供給される水洗水、即ち、第一膜濾過装置の濾液量と第二膜濾過装置の濾液量であるから、第二水洗槽３から電着浴槽１に送られる第二膜濾過装置の濃縮液量は第一膜濾過装置の濾液量未満でなければならない。上述したように、膜濾過濾液多段回収水洗工程の最終段の１つ手前の水洗槽液を濾過する第二膜濾過装置の濾液量は第一膜濾過装置の濾液量の２〜９倍であるから、第二膜濾過装置では、ライン１８によって第三水洗槽４に送られる濾液量は、ライン１７によって電着浴槽に送られる濃縮液量の少なくとも２〜９倍になるように制御されねばならない。
【００２２】
また、ライン１８によって第三水洗槽４に送られる濾液量が、ライン１７によって電着浴槽に送られる濃縮液量の少なくとも１０倍を超えると、濃縮液のＮＶが上がり、濾液の採取効率が低下する可能性がある。逆に２倍未満の場合は、循環液のＮＶが低下して濾液量の安定性が悪くなる可能性がある。
【００２３】
図３は第一膜濾過装置に用いられている従来の膜濾過装置の一例を示した図である。図３において、２０は膜モジュールであり、２１は供給ポンプである。電着浴槽１から供給される処理液１００部に対し、第二または第三水洗槽に送られる濾液が１〜５部になるように制御され、膜を透過しなかった残りの９５〜９９部の濃縮液が電着浴槽１に成り行きで戻されている。第二膜濾過装置として、図３に示したような従来の膜濾過装置を用いたのでは、上述のような制御を行うのは困難である。
【００２４】
図４は第二膜濾過装置に用いる膜濾過装置の好ましい一例を示した図である。図４において、図３と同じ部品には同じ番号が附してある。第二膜濾過装置は第一膜濾過装置に比較し、循環ポンプ２２および循環ライン２３が設けられているのが特徴である。第二水洗槽３から供給される処理液１００部が循環ライン２３からの液を合わせて、循環ポンプ２２で１０００〜３０００部に増量されて膜モジュール２０に供給される。第二水洗槽３に戻される濾液量が７０〜９０部になるように制御されると同時に、ライン１７から電着浴槽１に戻される濃縮液量が、第一膜濾過装置の濾液量未満で１０〜３０部になるように制御され、循環ライン２３で濃縮液が循環される。
【００２５】
また、第二膜濾過装置の濃縮液（循環液）のＮＶは、第二水洗槽３のＮＶの１．１〜１０倍が好ましく、１．５〜８倍がさらに好ましく、２〜６倍が特に好ましい。第二膜濾過装置の濃縮液（循環液）のＮＶが、第二水洗槽３のＮＶの１０倍を超えると、濃縮液のＮＶが上がり、濾液の採取効率が低下する可能性がある。逆に１．１倍未満の場合は、循環液のＮＶが低下して濾液量の安定性が悪くなる可能性がある。
【００２６】
図４に示された第二膜濾過装置を上述のような条件で運転するためには、膜モジュール２０に循環される処理液のＮＶを０．５〜６％、好ましくは２〜６％程度として、下式で表される膜モジュールの平均濾過差圧を０．０５〜０．４０ＭＰａ、好ましくは０．１０〜０．３０ＭＰａ、さらに好ましくは０．１０〜０．２０ＭＰａとする。
平均濾過差圧＝（膜モジュール入圧＋膜モジュール出圧）／２−濾過側圧力
【００２７】
第二膜濾過装置に用いられる膜については、特に制限はなく、例えば逆浸透膜（ＲＯ膜）、限外濾過膜（ＵＦ膜）および精密濾過膜（ＭＦ膜）等が挙げられる。これらの中でもＭＦ膜およびＵＦ膜を用いることが好ましく、ＵＦ膜を用いることが特に好ましい。
ＲＯ膜は単位時間当たりの処理能力が低く、経済的に好ましくない。ＭＦ膜は、単位時間当たりの処理能力に優れるが塗料成分の一部が透過する事がある。
これらに対し、ＵＦ膜は、処理能力および塗料成分の除去能力とも実用上問題がない。ＵＦ膜としては、分画分子量３，０００〜１，０００，０００程度のものが好ましく、また、材質については、ポリアクリロニトリル、ポリスルホン、ポリオレフィン、ポリフッ化ビニリデン（ＰＶＤＦ）及びそれらの化学的変性物等のいかなるものでも良い。
【００２８】
膜モジュールとしては、上記したＵＦ膜等の膜を用いた、中空糸型、スパイラル型および管状型等どのような型の膜モジュールも使用することができる。
本発明の電着塗料回収システムに使用される電着塗料は、特に制限されず、カチオン電着塗料およびアニオン電着塗料等、どのような電着塗料でもよい。
【実施例】
【００２９】
以下に、本発明を実施例および比較例を用いて詳細に説明するが、本発明はこれらの実施例のみに限定されるものではない。
（実施例）
図２に示した電着塗料の回収システムを用いて、電着塗装を行なった。第一膜濾過装置７には図３に示した膜濾過装置を用い、膜には旭化成ケミカルズ（株）社製の限外濾過膜ＫＣＶ−３０１０を用いた。第二膜濾過装置８には図４に示した膜濾過装置を用い、膜には旭化成ケミカルズ（株）社製の限外濾過膜ＫＣＶ−３０１０を用いた。
電着塗料には、カチオン電着塗料を用い、自動車の電着塗装を行なった。
【００３０】
電着浴槽１は電着浴槽のＮＶが２０％になるように調整されている。第一膜濾過装置７は、電着浴槽液の供給量を２７００Ｌ／ｍｉｎ、濾液量を４５Ｌ／ｍｉｎに設定した。第二膜濾過装置８は、第二水洗槽液の供給量を１２０Ｌ／ｍｉｎ、循環量を１８００Ｌ／ｍｉｎ、濾液量を１００Ｌ／ｍｉｎ、電着浴槽１に送る濃縮液（循環液）の量を２０Ｌ／ｍｉｎに設定した。最終水洗工程の第一水洗槽への浄水供給量は５０Ｌ／ｍｉｎに、第二水洗槽への純水供給量は５０Ｌ／ｍｉｎに設定した。被塗物の自動車と共に、膜濾過濾液多段回収水洗工程の第三水洗槽４から最終水洗工程の第一水洗槽へ持ち込まれる液の量は１２Ｌ／ｍｉｎであり、同じ液量が最終水洗工程の第二水洗槽から持ち出された。最終水洗工程の第一水洗槽からの排液量は１００Ｌ／ｍｉｎであった。
【００３１】
このような条件で運転した際の下式で表される塗料回収率および各水洗槽のＮＶを上記設定条件と共に表１に示した。
塗料回収率＝（１−膜濾過濾液多段回収水洗工程最終段ＮＶ／電着浴槽ＮＶ）×１００
また、第二膜濾過装置の循環液ＮＶ、および平均濾過差圧も併せて表１に示した。
【００３２】
（比較例）
第二膜濾過装置８を除去したことを除いて、実施例と同一の電着塗料回収システム、即ち図１に示したシステムを用いて、実施例と同様の設定条件で電着塗装を実施した。得られた塗料回収率および各水洗槽のＮＶ等を設定条件と共に表１に併せて示した。
【００３３】
【表１】
2011099158.tif 000003
【００３４】
表１から明らかなように、第二膜濾過装置を備えた本発明の電着塗料回収システムは、従来の電着塗料回収システムと膜濾過濾液多段回収水洗工程の段数が同じであるにも拘わらず、従来の電着塗料回収システムに比較し、塗料回収率が大幅に増加する。
【産業上の利用可能性】
【００３５】
本発明の電着塗料回収システムは、従来の電着塗料回収システムからの改造が容易であり、従来の電着塗料回収システムと膜濾過濾液多段回収水洗工程の段数が同じでありながら塗料回収率が大幅に増加する。従って、産業上の利用価値は極めて大きい。
【符号の説明】
【００３６】
１    電着浴槽
２    膜濾過濾液多段回収水洗工程第一水洗槽
３    膜濾過濾液多段回収水洗工程第二水洗槽
４    膜濾過濾液多段回収水洗工程第三水洗槽
５    最終水洗工程第一水洗槽
６    最終水洗工程第二水洗槽
７    第一膜濾過装置
８    第二膜濾過装置
２０    膜モジュール
２１    供給ポンプ
２２    循環ポンプ
Ａ    膜濾過濾液多段回収水洗工程
Ｂ    最終水洗工程
【図１】
2011099158.tif 000004
【図２】
2011099158.tif 000005
【図３】
2011099158.tif 000006
【図４】
2011099158.tif 000007